(57)【要約】      （修正有）【課題】柄が破断してもヘッドの落下を防止することができる安全装置のついた鎚を提供する。【解決手段】ヘッド１２をパイプ状の柄１４の前端１６に固定した構造を有しする。ヘッド１２と柄１４の前端１６に包囲された部分であって、ヘッド１２が柄１４と接触しない位置に一端２６を固定し、他端２８を柄１４の内部２０または柄１４の後端１８に固定したワイヤ２４を備える。このワイヤ２４は、柄１４の内部２０で弛みが設けられている。長期の使用によりヘッド１２と柄１４の連結部が疲労して破断することがある。このとき、ヘッド１２が柄１４にワイヤ２４を介して連結されているので、ヘッド１２が急に落下しない。ワイヤ２４に弛みが設けられているので、使用中にワイヤ２４に加わる衝撃でワイヤ２４が疲労するのを防止できる。【選択図】図１
0003191495.tif 000002
【実用新案登録請求の範囲】
【請求項１】
ヘッドをパイプ状の柄の前端に固定した構造を有し、
上記ヘッドと上記柄の前端に包囲された部分であって、上記ヘッドが柄と接触しない位置に一端を固定し、他端を柄の内部または柄の後端に固定したワイヤを備え、
このワイヤは、上記柄の内部で弛みが設けられていることを特徴とする安全装置のついた鎚。
【請求項２】
上記ワイヤの全長は、ワイヤを柄の前端から引き出したとき、ヘッドと柄の間に引き出されるワイヤの長さが柄の内径の２倍以下であることを特徴とする請求項１に記載の安全装置のついた鎚。
【請求項３】
ヘッドをパイプ状の柄の前端に固定した構造を有し、
上記ヘッドと上記柄の前端に包囲された部分であって、上記ヘッドが柄と接触しない位置に一端を固定し、他端を柄の内部に柄に対して接触しない位置に配置した棒と、
この棒の他端に一端を固定し、他端を柄の内部または柄の後端に固定したワイヤとを有し、
このワイヤは、上記柄の内部で弛みが設けられていることを特徴とする安全装置のついた鎚。
【請求項４】
上記棒の全長は、柄の内径以上の長さを有し、上記ワイヤは、ヘッドが柄から外れたときでも柄の前端から引き出されない長さを有することを特徴とする請求項３に記載の安全装置のついた鎚。
【考案の詳細な説明】
【技術分野】
【０００１】
本考案は、例えば、建築工事やリフォーム工事等で足場を組み立てたり解体したりする場合に、足場を固定する金具の脱着作業に使用するための、安全装置のついた鎚に関する。
【背景技術】
【０００２】
一般に、鎚は柄の先端にヘッドを固定した構造をしている。この柄とヘッドとの連結が外れるとヘッドが思わぬところに飛ぶため、きわめて危険である。そこで、柄が破損してヘッドが外れないように保護する構造が紹介されている（特許文献１）。また、鎚の柄とヘッドとが分離しないように止め金具を設ける構造も紹介されている（特許文献２）。
【先行技術文献】
【特許文献】
【０００３】
【特許文献１】実用新案登録３０９１６３９号
【特許文献２】実開平６−７１０７８号
【考案の概要】
【考案が解決しようとする課題】
【０００４】
既知の従来の技術には、次のような解決すべき課題があった。
建築工事やリフォーム工事等で足場を組み立てたり解体したりする場合には、足場用のパイプを連結する金具を鎚で叩いて固定したり、外したりする作業が行われる。この作業では、鎚のヘッドに大きな衝撃が加わり、柄とヘッドを連結した部分が疲労する。そのまま使い続けると、柄が折れてヘッドが飛び、高い足場から落下するときわめて危険である。使用期間に応じて早めに交換をすればよいが、その交換時期の選択が容易でない。先行技術にあるような技術だけでは、確実に安全を確保することが難しい。また、安全をみてあまり早々に交換をするとコストアップになる。
【０００５】
本考案は以上の点に着目してなされたもので、たとえ柄が破断してもヘッドの落下を防止することができる安全装置のついた鎚を提供することを目的とする。
【課題を解決するための手段】
【０００６】
以下の構成はそれぞれ上記の課題を解決するための手段である。
【０００７】
＜構成１＞
ヘッドをパイプ状の柄の前端に固定した構造を有し、
上記ヘッドと上記柄の前端に包囲された部分であって、上記ヘッドが柄と接触しない位置に一端を固定し、他端を柄の内部または柄の後端に固定したワイヤを備え、
このワイヤは、上記柄の内部で弛みが設けられていることを特徴とする安全装置のついた鎚。
【０００８】
＜構成２＞
上記ワイヤの全長は、ワイヤを柄の前端から引き出したとき、ヘッドと柄の間に引き出されるワイヤの長さが柄の内径の２倍以下であることを特徴とする構成３に記載の安全装置のついた鎚。
【０００９】
＜構成３＞
ヘッドをパイプ状の柄の前端に固定した構造を有し、
上記ヘッドと上記柄の前端に包囲された部分であって、上記ヘッドが柄と接触しない位置に一端を固定し、他端を柄の内部に柄に対して接触しない位置に配置した棒と、
この棒の他端に一端を固定し、他端を柄の内部または柄の後端に固定したワイヤとを有し、
このワイヤは、上記柄の内部で弛みが設けられていることを特徴とする安全装置のついた鎚。
【００１０】
＜構成４＞
上記棒の全長は、柄の内径以上の長さを有し、上記ワイヤは、ヘッドが柄から外れたときでも柄の前端から引き出されない長さを有することを特徴とする構成３に記載の安全装置のついた鎚。
【考案の効果】
【００１１】
＜構成１の効果＞
長期の使用によりヘッドと柄の連結部が疲労して破断することがある。このとき、ヘッドが柄の内部または後端にワイヤを介して連結されているので、ヘッドが急に落下しない。ワイヤに弛みが設けられているので、使用中にワイヤに加わる衝撃でワイヤが疲労するのを防止できる。
＜構成２の効果＞
ヘッドと柄の連結部が疲労して破断しても、ヘッドの動きを小範囲に制限できる。
＜構成３の効果＞
ヘッドと柄の連結部が疲労して破断しても、ヘッドの動きが棒により制限されるので、安全性が高まる。
＜構成４の効果＞
ヘッドと柄の連結部が疲労して破断しても、柄の中から棒が外に飛び出さないから、棒の機能を十分に発揮できる。
【図面の簡単な説明】
【００１２】
【図１】実施例１の槌を示し、（ａ）は完成品の斜視図、（ｂ）は一部分解斜視図、（ｃ）は完成品の縦断面図である。
【図２】実施例２の槌を示し、（ａ）は一部分解斜視図、（ｂ）は完成品の縦断面図である。
【図３】実施例１の槌のヘッドと柄の連結部が破断した状態の２種の斜視図である。
【図４】実施例２の槌のヘッドと柄の連結部が破断した状態の斜視図である。
【考案を実施するための形態】
【００１３】
以下、本考案の実施の形態を実施例毎に詳細に説明する。
【実施例１】
【００１４】
図１は実施例１の槌を示し、（ａ）は完成品の斜視図、（ｂ）は一部分解斜視図、（ｃ）は完成品の縦断面図である。
図の槌は、ヘッド１２をパイプ状の柄１４の前端１６に溶接等で固定した構造を有している。建築工事やリフォーム工事等で足場を組み立てたり解体したりする場合に、足場用のパイプを多数の金具で連結する。この金具を着脱する作業にこの槌が使用される。多数の金具を鎚で叩く作業が繰り返されるから、長期間使用されると、ヘッド１２と柄１４の連結部が疲労して破断することがある。
【００１５】
何も対策を施さないと、外れたヘッドが足場から落下して、きわめて危険である。そこで、従来はヘッド１２と柄１４の連結部を補強して、両者が外れないようにしていた。本考案では、たとえ両者が外れたとしても、安全性を確保するために、ヘッド１２と柄１４とをワイヤ２４を用いて連結する。その場合の連結構造を次のように工夫した。
【００１６】
図１（ｃ）に示すように、ヘッド１２と柄１４の前端１６に包囲された部分であって、ヘッド１２が柄１４と接触しない位置にワイヤ２４の一端２６を固定する。ワイヤ２４の他端２８を柄１４の内部２０を通して、柄１４の後端１８にある止め栓２２に固定する。このワイヤ２４は、柄１４の内部２０で弛みが設けられている。
【００１７】
ワイヤ２４の他端２８は、柄１４の内部２０または後端１８のどこかに固定されていればよい。ヘッド１２が柄１４の内部２０または後端１８にワイヤ２４を介して連結されていれば、たとえヘッド１２が柄１４から外れても、ヘッド１２が急に落下しない。
【００１８】
ワイヤ２４の一端２６を、ヘッド１２と柄１４の前端１６に包囲された部分であって、ヘッド１２が柄１４と接触しない位置に固定したのは、槌を使用中にワイヤ２４の一端２６に直接強い衝撃が加わらないようにするためである。ヘッド１２と柄１４とが外れたときに、柄１４の前端１６の部分でワイヤ２４を切断しないためでもある。また、ワイヤ２４を柄１４の内部２０でピンと張っておくと、槌を使用中にワイヤ２４が振動して疲労する。ワイヤ２４に弛みが設けられているので、この疲労を防止できる。
【実施例２】
【００１９】
図２は実施例２の槌を示し、（ａ）は一部分解斜視図、（ｂ）は完成品の縦断面図である。
実施例２は、実施例１をさらに改良したものである。この実施例では、ヘッド１２に棒３０を固定し、この棒３０に既に説明したようなワイヤ２４を固定している。棒３０の一端３２は、ヘッド１２と柄１４の前端１６に包囲された部分であって、ヘッド１２が柄１４と接触しない位置に固定してある。棒３０の他端３４は、柄１４の内部２０に柄１４に対して接触しない位置に配置されている。
【００２０】
棒３０の一端３２を、ヘッド１２が柄１４と接触しない位置に固定したのは、ワイヤ２４の場合と同様に、槌を使用したときの衝撃が棒３０の一端３２の部分に強く加わらないようにするためである。この一端３２の部分の疲労を遅らせることができる。また、棒３０の他端３４を柄１４の内部２０に柄１４に対して接触しない位置に配置したのは、柄１４を通じて槌を使用するときの衝撃を棒３０に伝えないようにするためである。
【００２１】
棒３０は、ワイヤ２４により柄１４と連結されている。ワイヤ２４は、棒３０の他端３４に一端２６を固定し、他端２８を柄１４の内部２０または柄１４の後端１８に固定している。また、ワイヤ２４は、実施例１の場合と同様に、柄１４の内部２０で弛みが設けられている。ワイヤ２４に弛みを設けたのは、実施例１と同様に振動疲労を避けるためである。
【００２２】
（安全装置の動作説明）
図３は実施例１の槌のヘッドと柄の連結部が破断した状態の２種の斜視図である。
この図は実施例１の槌の動作を示す。図３（ａ）に示すように、ヘッド１２が柄１４から外れたとき、ワイヤ２４がヘッド１２をつなぎ止めている。従ってヘッド１２の落下が防止できる。ここで、ワイヤ２４が長いと、図３（ｂ）に示すように、ヘッド１２が柄１４から外れた瞬間に、ヘッド１２が大きく振れる。そこで、ワイヤ２４の全長を制限することが好ましい。
【００２３】
例えば、ワイヤ２４を柄１４の前端１６から引き出したとき、ヘッド１２と柄１４の間に引き出されるワイヤ２４の長さが柄１４の内径の２倍以下になるようにする。柄１４の内部のワイヤ２４の弛み量を調節すればよい。こうすれば、ヘッド１２は柄１４の前端１６の近くで振れるだけで、ヘッド１２の動きを小範囲に制限でき、柄１４を握る手に当たるようなことはない。
【００２４】
図４は実施例２の槌のヘッドと柄の連結部が破断した状態の斜視図である。
この図は実施例２の槌のヘッド１２が柄１４から外れた状態を示す。棒３０が設けられていると、ヘッド１２が柄１４から外れた瞬間に、棒３０が柄１４の内面に衝突してヘッド１２の動きを最小範囲に制限する。この機能を十分に発揮できるように、棒３０やワイヤ２４（図２（ｂ））の長さを次のように調節することが好ましい。
【００２５】
まず、棒３０の全長は、柄１４の内径以上の長さにする。ヘッド１２が柄１４から外れたとき、棒３０の他端３４（図２（ｂ））が柄１４の内面に確実に衝突する長さにするためである。実際には、棒３０の長さを柄１４の長さの４分の１から２分の１くらいの長さにするとよい。ワイヤ２４は、ヘッド１２が柄１４から外れたときでも柄１４の前端１６から棒３０全体が引き出されない長さにする。弛みをなくしても、ワイヤ２４が一部でも柄１４の外部に引き出されない長さにすればよい。これにより、図４に示すような状態でヘッド１２の振れを防止して、安全を確保できる。
【産業上の利用可能性】
【００２６】
この槌は、ヘッド１２をパイプ状の柄１４の前端１６に溶接等で固定した構造をしていて、使用中にヘッド１２が柄１４から外れた場合の安全装置を設けたものである。従って、同様の構造で、ヘッド１２が柄１４から外れる危険性のある槌に対して、広く利用することかできる。
【符号の説明】
【００２７】
１２  ヘッド
１４  柄
１６  前端
１８  後端
２０  内部
２２  止め栓
２４  ワイヤ
２６  一端
２８  他端
３０  棒
３２  一端
３４  他端
【図１】
0003191495.tif 000003
【図２】
0003191495.tif 000004
【図３】
0003191495.tif 000005
【図４】
0003191495.tif 000006
【手続補正書】
【提出日】平成26年4月18日(2014.4.18)
【手続補正１】
【補正対象書類名】実用新案登録請求の範囲
【補正対象項目名】請求項４
【補正方法】変更
【補正の内容】
【請求項４】
上記棒の全長は、柄の内径以上の長さを有し、上記ワイヤは、ヘッドが柄から外れたときでも柄の前端から棒全体が引き出されない長さを有することを特徴とする請求項３に記載の安全装置のついた鎚。
【手続補正２】
【補正対象書類名】明細書
【補正対象項目名】００１０
【補正方法】変更
【補正の内容】
【００１０】
＜構成４＞
上記棒の全長は、柄の内径以上の長さを有し、上記ワイヤは、ヘッドが柄から外れたときでも柄の前端から棒全体が引き出されない長さを有することを特徴とする構成３に記載の安全装置のついた鎚。